(57)【要約】【課題】ＯＮＵの通常のネットワーク接続の自動登録処理に加え、例えばＶＬＡＮ設定のような、個々のＯＮＵに対する特定のパラメータ設定をも同時に可能にする。【解決手段】ＯＮＵ認証データベースに、任意の子ＩＤ番号に対応させて、仮のＭＡＣアドレスおよび特定のパラメータを予め書き込んでおき、新規ＯＮＵを、ＯＮＵ認証データベースにある子ＩＤ番号を入力してリンクアップし、ＯＬＴは、ＯＮＵの認証・登録処理の過程で、ＯＮＵ認証データベースに新規ＯＮＵで入力された子ＩＤ番号に対する仮のＭＡＣアドレスが存在しているかを調べ、存在した場合には該当する仮のＭＡＣアドレスに新規ＯＮＵの正規のＭＡＣアドレスを上書きすることにより、新規ＯＮＵに対応させる特定のパラメータ設定を行うようにした。【選択図】図２
2008263525.tif 000002
【特許請求の範囲】
【請求項１】
ＰＯＮ方式を用いた伝送システムのＯＬＴにＯＮＵをリンクアップした際に、ＯＬＴがＯＮＵ認証データベースに基づいてＯＮＵの認証・登録処理を行うＯＮＵ自動登録方法において、
前記ＯＮＵ認証データベースを、子ＩＤ番号、ＯＮＵのＭＡＣアドレスおよび個々のＯＮＵに対応させる特定のパラメータを格納するデータ構成としておき、
前記ＯＮＵ認証データベースに、任意の子ＩＤ番号に対応させて、仮のＭＡＣアドレスおよび特定のパラメータを予め書き込んでおき、
新規ＯＮＵを、前記ＯＮＵ認証データベースにある子ＩＤ番号を入力してリンクアップし、
ＯＬＴは、ＯＮＵの認証・登録処理の過程で、前記ＯＮＵ認証データベースに新規ＯＮＵで入力された子ＩＤ番号に対する仮のＭＡＣアドレスが存在しているかを調べ、存在した場合には該当する仮のＭＡＣアドレスに新規ＯＮＵの正規のＭＡＣアドレスを上書きすることにより、新規ＯＮＵに対応させる特定のパラメータ設定を行うようにしたことを特徴とするＯＮＵ自動登録方法。
【請求項２】
ＰＯＮ方式を用いた伝送システムのＯＬＴにＯＮＵをリンクアップした際に、ＯＬＴがＯＮＵ認証データベースに基づいてＯＮＵの認証・登録処理を行うＯＮＵ自動登録方法において、
前記ＯＮＵ認証データベースを、子ＩＤ番号、ＯＮＵのＭＡＣアドレスおよび個々のＯＮＵに対応させる特定のパラメータを格納するデータ構成としておき、
ＯＬＴは、前記ＯＮＵ認証データベースの他に、任意の子ＩＤ番号に対応させた特定のパラメータを予め格納するパラメータ格納領域を有し、
新規ＯＮＵを、パラメータ格納領域にある子ＩＤ番号を入力してリンクアップし、
ＯＬＴは、ＯＮＵの認証・登録処理の過程で、前記パラメータ格納領域から新規ＯＮＵで入力された子ＩＤ番号に対応する特定のパラメータを抽出して新規ＯＮＵのＭＡＣアドレスと共に前記ＯＮＵ認証データベースに書き込むことにより、新規ＯＮＵに対応させる特定のパラメータ設定を行うようしたことを特徴とするＯＮＵ自動登録方法。
【発明の詳細な説明】
【技術分野】
【０００１】
この発明は、ＧＥ−ＰＯＮ（Gigabit Ethernet（登録商標）-Passive Optical Network）等のＰＯＮ方式を用いた伝送システムにおいて、ＯＮＵ（Optical Network Unit；光加入者線ネットワーク装置）の接続登録を行うＯＮＵ自動登録方法に関するものである。
【背景技術】
【０００２】
周知のように、ＰＯＮシステムは、局からユーザまでの伝送系において光−電気変換を行わず、低コストの受動素子である光スプリッタを用いて光信号を複数に分岐して、複数ユーザが一芯の光ファイバを共有できる経済的なネットワークを構成できるため、インターネット接続を光で行うＦＴＴＨ（Fiber To The Home）を実現してきた。さらに、１Ｇｂｐｓの通信速度を公衆回線網で実現し、ＬＡＮで使われてきたＧｉｇａｂｉｔ  Ｅｔｈｅｒｎｅｔ（登録商標）を応用し、電話局から家庭まで、イーサネット（登録商標）・フレームをそのまま送受信できるＧＥ−ＰＯＮが標準化されたことにより、さらに高速かつ経済的なＧＥ−ＰＯＮシステムによるアクセスサービスが２００４年から始まり、急速な普及を呈している。そのため、高品質のＩＰ映像伝送、ＩＰ電話、テレビ電話等の高速性を生かした商用サービスが可能になった。
【０００３】
図１に、ＰＯＮシステムとＯＮＵ自動登録機能を示す構成図を示す。
ＧＥ−ＰＯＮシステムは、局内装置となるＯＬＴ（Optical Line Terminal；光加入者線終端装置）２、ユーザ宅に設置するＯＮＵ（Optical Network Unit；光加入者線ネットワーク装置）１、ＯＬＴ−ＯＮＵ間を結ぶ伝送路の光ファイバ６、ＯＬＴ２と複数のＯＮＵ１の間に設置された光スプリッタ４などから構成される。ＯＮＵ１は、ＵＮＩ（User Network Interface）７を介してパソコンなどのユーザ端末８に直接またはＶＤＳＬ（Very high-bit-rate Digital Subscriber Line）を介して接続される。また、ＯＮＵ１は、設置工事者が自動登録に用いる子ＩＤ番号を入力するためのロータリスイッチ等の子ＩＤ入力手段１３を具備している。ＯＬＴ２は、上位ネットワーク（インターネット等）１０に接続され、また、自動登録機能のＯＮ／ＯＦＦ設定を行う制御端末５に接続されている。
一般動作の概略について説明すると、ＯＮＵ１はＯＬＴ２からの光信号を電気信号へ変換してユーザ端末８に与えると共に、ユーザ端末８からの電気信号を光信号に変換してＯＬＴ２に転送する。一方、ＯＬＴ２は、ＯＮＵ１からの光信号の上位ネットワークへの転送、上位ネットワークからの信号のＯＮＵ１への転送を行い、またＰＯＮ区間やＯＮＵ１の監視を行う。
【０００４】
次に、ＯＮＵをＰＯＮに接続して使用する場合の認証・登録について説明する。
ＯＬＴ２は、ＯＮＵ１の通信開始を契機に、当該ＯＮＵのＭＡＣアドレスを自動的にＯＮＵ認証データベース２４に登録する。また、オペレータは制御端末５を使用してＯＮＵ認証データベース２４の変更、削除および自動登録機能のＯＮ／ＯＦＦ設定を行う。従来のＯＮＵ認証データベース２４はＭＡＣアドレスに対応させて子ＩＤ番号を格納するデータ構成となっている。なお、自動登録機能はセキュリティを高める場合の「無効」に設定されるが、ここでは、自動登録を行うことを前提としているので「有効」に設定されているものとして説明する。
【０００５】
図５に示す従来のＯＮＵ自動登録方法のシーケンスについて説明する。
ＯＮＵ１をＯＬＴ２にリンクアップすると、ＯＬＴ２はＯＮＵ１に要求して子ＩＤ番号とＭＡＣアドレスを取得し、ＯＮＵ１から取得したＭＡＣアドレスがＯＮＵ認証データベース２４へ既に存在しているか否かを判定する（ステップＳＴ１１）。ＯＮＵ１が初めてリンクアップした場合などで、ＯＮＵ認証データベース２４に当該ＭＡＣアドレスがない場合、ＯＬＴ２は、今回取得した子ＩＤ番号の正常性（予め決めた範囲の値を持っていること）および他のＯＮＵの子ＩＤ番号との重複がないことを調べる（ステップＳＴ１２）。子ＩＤ番号が正常で、重複が無かった場合には、当該ＯＮＵの子ＩＤ番号、ＭＡＣアドレスをＯＮＵ認証データベース２４に書き込みネットワーク接続登録を完了して（ステップＳＴ１３）、当該ＯＮＵ１のＵＮＩポートの導通を開始する。なお、ステップＳＴ１２で子ＩＤ番号が不正であった場合には、当該ＯＮＵ１のＵＮＩポートを閉じて導通不可の状態にする。
ＯＮＵ１が２回目以降にリンクアップした場合には、ステップＳＴ１１の判定において、ＯＮＵ認証データベース２４には既に当該ＯＮＵ１の情報が存在しているので、ＯＬＴ２は当該ＯＮＵ１のＭＡＣアドレスをキーにＯＮＵ認証データベース２４に登録されている子ＩＤ番号を読み出し、ＯＮＵ１から取得した子ＩＤ番号との照合処理を行う（ステップＳＴ１４）。両子ＩＤ番号が一致した場合にはＵＮＩポートを開け、また、一致しなかった場合にはＵＮＩポートを閉じる。
【０００６】
【特許文献１】特開２００２−２２３２２７号公報
【発明の開示】
【発明が解決しようとする課題】
【０００７】
ＰＯＮシステムにおいて、従来のＯＮＵ自動登録方法は、以上のように、デフォルトのパラメータ値を用いてＯＮＵ認証データベースを生成し、その登録を行うようにしている。このようなシステムにおいて、ＩＰ電話サービスにおける固定電話サービス等、その設備の位置特定が必要なアプリケーションを実現する際には、個々のＯＮＵを別々のＶＬＡＮ（Virtual LAN）に接続するようにするＶＬＡＮ設定等の特定のパラメータ設定が必要となる場合がある。ＯＮＵ認証データベースは、ＯＮＵ固有のＭＡＣアドレスをキーとして管理されるため、自動登録が完了し、使用する端末のＭＡＣアドレスが確定した後でなければ、それぞれのＯＮＵに対して、帯域割当て、ＶＬＡＮ設定などの特定のパラメータ設定を行うことができなかった。また、そのための設定作業は、ＯＮＵ設置ごとにＯＬＴ側でオペレータが逐一行わなければならなかった。
なお、以下に説明するこの発明において仮のＭＡＣアドレスを用いる処理があるが、自動登録においてＭＡＣアドレスを暫定登録するということについての技術が特許文献１に記載されている。しかし、その技術は、新規に接続される端末のＭＡＣアドレスが未登録の場合にＤＨＣＰ（Dynamic Host Configuration Protocol）サーバを稼動させ、ＭＡＣアドレス暫定登録して接続を完了させた後、コンフィギュレーションを完了させる接続方法であり、ＯＮＵの接続時に通常のネットワーク接続登録処理以外に、個々のＯＮＵに対して特定のパラメータ設定を自動的に行えるようにすることについて示唆するものではない。
【０００８】
この発明は、上記問題点を解決するためになされたもので、ＯＮＵの通常のネットワーク接続の自動登録の際に、例えばＶＬＡＮ設定のような、個々のＯＮＵに対する特定のパラメータ設定をも同時に可能にするＰＯＮシステムのＯＮＵ自動登録方法を得ることを目的とする。
【課題を解決するための手段】
【０００９】
この発明に係るＯＮＵ自動登録方法は、ＰＯＮ方式を用いた伝送システムのＯＬＴにＯＮＵをリンクアップした際に、ＯＬＴがＯＮＵ認証データベースに基づいてＯＮＵの認証・登録処理を行うＯＮＵ自動登録方法において、ＯＮＵ認証データベースを、子ＩＤ番号、ＯＮＵのＭＡＣアドレスおよび個々のＯＮＵに対応させる特定のパラメータを格納するデータ構成としておき、ＯＮＵ認証データベースに、任意の子ＩＤ番号に対応させて、仮のＭＡＣアドレスおよび特定のパラメータを予め書き込んでおき、新規ＯＮＵを、ＯＮＵ認証データベースにある子ＩＤ番号を入力してリンクアップし、ＯＬＴは、ＯＮＵの認証・登録処理の過程で、ＯＮＵ認証データベースに新規ＯＮＵで入力された子ＩＤ番号に対する仮のＭＡＣアドレスが存在しているかを調べ、存在した場合には該当する仮のＭＡＣアドレスに新規ＯＮＵの正規のＭＡＣアドレスを上書きすることにより、新規ＯＮＵに対応させる特定のパラメータ設定を行うようにしたものである。
【発明の効果】
【００１０】
この発明によれば、ネットワーク接続のＯＮＵ自動登録の際に個々のＯＮＵに対する、帯域割当て、ＶＬＡＮ設定などの個々のＯＮＵに対する特定のパラメータ設定をも同時に行うことが可能となる。したがって、特定のパラメータ設定の処理をＯＮＵ自動登録の後に手動で行う必要がなくなり、設置工事を効率化できる。
【発明を実施するための最良の形態】
【００１１】
実施の形態１．
図３は、この発明の実施の形態１に係るＯＬＴ２で保持しているＯＮＵ認証データベース２４０の例である。このＯＮＵ認証データベース２４０は、子ＩＤ番号に対応させて、ＯＮＵのＭＡＣアドレスおよび個々のＯＮＵに対応させる特定のパラメータ、例えば帯域割当（最大値、最低値）、ＶＬＡＮ設定などの特定のパラメータを格納するデータ構成を備えている。例えば、子ＩＤ番号「２」に対するＭＡＣアドレスはａｌｌ“ｆ”（以下「仮ＭＡＣアドレス」と呼ぶ）であるが、これはＯＬＴ２側で手動によりＯＮＵ認証データベース２４０に予め書き込んで仮登録しておく。以下に述べるように、この仮ＭＡＣアドレスに、子ＩＤ番号を以って指定したＯＮＵの正規のＭＡＣアドレスを上書きすることにより特定のパラメータ設定をＯＮＵに割り当てるようにする。なお、個々のＯＮＵに設定する特定のパラメータとしては、他に遅延クラス、ＭＡＣアドレス学習制限数、オートネゴシエーションなどがある。
【００１２】
図２は、この発明の実施の形態１に係るＧＥ−ＰＯＮシステムにおけるＯＮＵの認証・登録処理の動作を示すシーケンス図である。以下、この実施の形態１によるＯＮＵ自動登録方法について説明する。
ＯＮＵ１をＯＬＴ２にリンクアップすると、ＯＬＴ２はＯＮＵ１に要求して子ＩＤ番号と共にＭＡＣアドレスを取得し、ＯＮＵ１から取得した子ＩＤ番号とＭＡＣアドレスがＯＮＵ認証データベース２４０に既に存在しているか否かを判定する（ステップＳＴ２１）。この場合、取得した子ＩＤ番号とＭＡＣアドレスと、ＯＮＵ認証データベース２４上で管理している子ＩＤ番号とＭＡＣアドレスとを比較することになるが、ＭＡＣアドレスが既存か否かの判断は、ＭＡＣアドレスの値に関わらず、子ＩＤ番号とＭＡＣアドレスの登録があるか否かについてのみ行われる。ＯＮＵ１が初めてリンクアップした場合などで、ＯＮＵ認証データベース２４に当該ＭＡＣアドレスと子ＩＤ番号のいずれもない場合、今回取得した子ＩＤ番号の正常性および他のＯＮＵの子ＩＤ番号との重複がないかを調べる（ステップＳＴ２２）。子ＩＤ番号が正常で、重複が無かった場合には、ＯＮＵ認証データベース２４０に当該ＯＮＵの子ＩＤ番号およびＭＡＣアドレスを書き込んで通常のネットワーク接続登録を完了し（ステップＳＴ２３）、当該ＯＮＵ１のＵＮＩポートの導通を開始する。なお、ステップＳＴ２２で、子ＩＤ番号が不正であった場合には、当該ＯＮＵ１のＵＮＩポートを閉じて導通不可の状態にする。以上の動作は従来の方法とほぼ同じである。
【００１３】
一方、ステップＳＴ２１の判定において、ＯＮＵ認証データベース２４０にＯＮＵ１から取得した子ＩＤ番号に対応してＭＡＣアドレスが既に存在する場合、そのＭＡＣアドレスが現ＧＥ−ＰＯＮシステムのサービスに適用されているＭＡＣアドレスであるか、特定のパラメータを事前設定するためにＯＮＵ認証データベース２４０に予め登録された仮のＭＡＣアドレス（例えば、図３のａｌｌ“ｆ”）であるのかを判断する（ステップＳＴ２４）。現サービスに適用されているＭＡＣアドレスの場合には、ＯＬＴ２は当該ＭＡＣアドレスに対応する取得子ＩＤ番号をＯＮＵ認証データベース２４０と照合する（ステップＳＴ２５）。ＯＮＵ認証データベース２４０に取得子ＩＤ番号と一致する子ＩＤ番号が有った場合にはＵＮＩポートを開き、信号導通を許可する。また、一致する子ＩＤ番号がＯＮＵ認証データベース２４０になかった場合にはＵＮＩポートを閉じ、信号導通を許可しない。
【００１４】
一方、ステップＳＴ２４の判断において、ＯＮＵ認証データベース２４０に存在するＭＡＣアドレスが、特定のパラメータを事前設定するために登録した仮のＭＡＣアドレス（例えばＡｌｌ“ｆ”）であった場合には、ＯＬＴ２は当該ＭＡＣアドレスに対応する取得子ＩＤ番号をＯＮＵ認証データベース２４０と照合する（ステップＳＴ２６）。なお、ＯＮＵの接続工事者は、ＯＮＵ１に対して特定のパラメータ設定を行う場合には、ＯＮＵ認証データベース２４０に仮登録されている仮ＭＡＣアドレスに対応する子ＩＤ番号をＯＮＵ１の接続の際に入力することになる。したがって、ＯＮＵ認証データベース２４０に取得子ＩＤ番号と一致する子ＩＤ番号が有った場合には、子ＩＤ番号をキーにＯＮＵ認証データベース２４０の仮のＭＡＣアドレスにＯＮＵ１から取得したＭＡＣアドレス（現サービスに適用されている正規のＭＡＣアドレス）を上書きすることにより、特定のパラメータ設定と通常のネットワーク接続登録を完了し（ステップＳＴ２７）、ＵＮＩポートを開いて導通を開始する。また、ステップＳＴ２６で、一致する子ＩＤ番号がＯＮＵ認証データベース２４０になかった場合にはＵＮＩポートを閉じて導通不可の状態にする。
【００１５】
以上のように、この実施の形態１によれば、ＯＮＵ認証データベースを、子ＩＤ番号、ＯＮＵのＭＡＣアドレスおよび個々のＯＮＵに対応させる特定のパラメータを格納するデータ構成としておき、ＯＮＵ認証データベースに、任意の子ＩＤ番号に対応させて、仮のＭＡＣアドレス（例えばａｌｌ“ｆ”）および特定のパラメータを予め書き込んでおき、新規ＯＮＵを、ＯＮＵ認証データベースにある子ＩＤ番号を入力してリンクアップし、ＯＬＴは、ＯＮＵの認証・登録処理の過程で、ＯＮＵ認証データベースに新規ＯＮＵで入力された子ＩＤ番号に対する仮のＭＡＣアドレスが存在しているかを調べ、存在した場合には該当する仮のＭＡＣアドレスに新規ＯＮＵの正規のＭＡＣアドレスを上書きすることにより、新規ＯＮＵに対応させる特定のパラメータ設定を行うようにしている。したがって、ネットワーク接続のＯＮＵ自動登録の際に個々のＯＮＵに対する特定のパラメータ設定をも同時に行うことが可能となる。従来はＯＮＵ認証データベースをＯＮＵ毎に割り当てられたＭＡＣアドレスをキーとして管理しているので、ＭＡＣアドレスに対して特定のパラメータ設定を行っていた。そのため、代わりに異なるＭＡＣアドレスのＯＮＵに対して設定することができなかった。すなわち、予め使用するＯＮＵを決めておく必要があったが、この発明の場合は、ＯＮＵ認証データベースを子ＩＤ番号をキーとして管理しているので、工事者が任意のＯＮＵを用いて設置工事（ＯＮＵ登録と特定のパラメータ設定）を実施することができるようになり、ＯＮＵ設置後にＯＬＴ側でオペレータが逐一設定変更を行う必要がなくなり、設置作業が効率化し、サービス開始までの時間を短縮することが可能になる。また、ＯＮＵ故障等の場合にもＯＮＵ認証データベースのＭＡＣアドレスを仮登録状態（ａｌｌ“ｆ”）にすれば、任意のＯＮＵと交換することが可能となるため保守性の向上を図ることが可能となる。
【００１６】
実施の形態２．
上記実施の形態１の場合は、ＯＮＵ認証データベース２４０に格納した特定のパラメータに仮ＭＡＣアドレスを予め登録しておいて、ＯＮＵ認証・登録処理時に正式なＭＡＣアドレスを上書きすることで特定のパラメータ設定をも自動的に行うようにしたものであるが、この実施の形態２の場合は、ＯＬＴ２はＯＮＵ認証データベースとは異なる記憶領域（これを「パラメータ格納領域」とする）を備え、予め子ＩＤ番号に対応させて特定のパラメータを格納しておき、ＯＮＵ自動登録時にこの特定のパラメータを抽出してＯＮＵ認証データベースに一緒に登録することで特定のパラメータ設定を行うようにする。なお、この実施の形態２の場合のＯＮＵ認証データベースも実施の形態１の場合のＯＮＵ認証データベース２４０と同様に子ＩＤ番号をキーとして管理するデータ構成を持っているが、この実施の形態２ではパラメータ格納領域を併用するため、仮のＭＡＣアドレスを事前に仮登録しない。
図４はこの発明の実施の形態２に係る認証・登録処理の動作を示すシーケンス図である。この実施の形態２は、図５における従来のシーケンスに対して新しいステップＳＴ１５およびステップＳＴ１６を設けたものである。
【００１７】
次に、動作について説明する。
ＯＮＵ１をＯＬＴ２にリンクアップした場合、ＯＬＴ２はＯＮＵ１に要求して子ＩＤ番号とＭＡＣアドレスを取得し、ＯＮＵ１から取得した子ＩＤ番号とＭＡＣアドレスがＯＮＵ認証データベースへ既に存在しているか否かを判定する（ステップＳＴ１１）。ＯＮＵ認証データベースに当該ＭＡＣアドレスがない場合、ＯＬＴ２は、今回取得した子ＩＤ番号の正常性および他のＯＮＵの子ＩＤ番号との重複がないことを調べる（ステップＳＴ１２）。子ＩＤ番号が正常で、重複が無かった場合には、パラメータ格納領域を検索して子ＩＤ番号に対応する特定のパラメータを選択する（ステップＳＴ１５）。該当するパラメータが存在しないときはＯＮＵ認証データベースに当該ＯＮＵ１の子ＩＤ番号、ＭＡＣアドレスを書き込んで通常のネットワーク接続登録を完了する（ステップＳＴ１３）。また、パラメータ格納領域に該当するパラメータが存在した場合は、そのパラメータを抽出してＯＮＵ１の子ＩＤ番号、ＭＡＣアドレスと対応させてＯＮＵ認証データベースに書き込み、特定のパラメータ設定と通常のネットワーク接続登録を完了する（ステップＳＴ１６）。ステップＳＴ１３、ＳＴ１６のいずれかの登録が完了した場合、当該登録されたＯＮＵ１のＵＮＩポートの導通を開始する。なお、ステップＳＴ１２において子ＩＤ番号が不正であった場合には、当該ＯＮＵ１のＵＮＩポートを閉じて導通不可の状態にする。
【００１８】
ＯＮＵ１が２回目以降にリンクアップした場合には、図５で説明したと同じで、ステップＳＴ１１の判定において、ＯＮＵ認証データベースには既に当該ＯＮＵ１の情報が存在しているので、ＯＬＴ２は当該ＯＮＵ１のＭＡＣアドレスをキーにＯＮＵ認証データベース２４に登録されている子ＩＤ番号を読み出し、ＯＮＵ１から取得した子ＩＤ番号との照合処理を行う（ステップＳＴ１４）。両子ＩＤ番号が一致した場合にはＵＮＩポートを開け、また、一致しなかった場合にはＵＮＩポートを閉じる。
【００１９】
以上のように、この実施の形態２によれば、前記ＯＮＵ認証データベースを、子ＩＤ番号、ＯＮＵのＭＡＣアドレスおよび個々のＯＮＵに対応させる特定のパラメータを格納するデータ構成としておき、ＯＬＴは、前記ＯＮＵ認証データベースの他に、任意の子ＩＤ番号に対応させた特定のパラメータを予め格納するパラメータ格納領域を有し、新規ＯＮＵを、パラメータ格納領域にある子ＩＤ番号を入力してリンクアップし、ＯＬＴは、ＯＮＵの認証・登録処理の過程で、前記パラメータ格納領域から新規ＯＮＵで入力された子ＩＤ番号に対応する特定のパラメータを抽出して新規ＯＮＵのＭＡＣアドレスと共にＯＮＵ認証データベースに書き込むことにより、新規ＯＮＵに対応させる特定のパラメータ設定を行うようしている。したがって、ネットワーク接続のＯＮＵ自動登録の際に個々のＯＮＵに対する特定のパラメータ設定をも同時に行うことが可能となる。また、ＯＮＵ認証データベースは、子ＩＤ番号をキーに特定のパラメータを管理できるようにいているので、例えば故障によりＯＮＵを交換するような場合、同じ子ＩＤ番号をＯＮＵで指定すれば、特定のパラメータの再設定は行わずに済むため、保守運用性の向上を図ることが可能となる。
【図面の簡単な説明】
【００２０】
【図１】ＧＥ−ＰＯＮシステムの概略構成を示すブロック図である。
【図２】この発明の実施の形態１に係る認証・登録処理の動作を示すシーケンス図である。
【図３】この発明の実施の形態１に係る認証データベースのデータ構成を例示する説明図である。
【図４】この発明の実施の形態２に係る認証・登録処理の動作を示すシーケンス図である。
【図５】従来の認証・登録処理の動作を示すシーケンス図である。
【符号の説明】
【００２１】
１  ＯＮＵ、  ２  ＯＬＴ、１３  子ＩＤ入力手段、５  制御端末、６  光ファイバ、７  ＵＮＩ、８  ユーザ端末、１０  上位ネットワーク、２４０  ＯＮＵ認証データベース。
【図１】
2008263525.tif 000003
【図２】
2008263525.tif 000004
【図３】
2008263525.tif 000005
【図４】
2008263525.tif 000006
【図５】
2008263525.tif 000007